(57)【特許請求の範囲】
【請求項１】
走行車体に取り付けられ、圃場に苗を植え付ける植付部と、
前記走行車体の位置情報を取得する位置情報取得装置と、
前記位置情報を記憶するとともに、前記位置情報、および圃場が土を盛って形成された盛り土の圃場であるか否かを示す盛り土情報を関連付けて作業マップとして記憶する情報記憶端末と、
前記圃場に散布する肥料の量を調整可能な施肥装置と、
前記植付部を昇降する制御部と
を備え、
前記制御部は、
前記位置情報、および前記作業マップに基づいて前記盛り土の圃場に前記苗を植え付けると判定した場合には、前記苗の植え付け深さが浅くなるように前記植付部を昇降し、
植え付けを開始した直後の所定往復間に、位置毎の施肥量を決定するための施肥量の標準値を算出するティーチングを行い、
前記位置情報、および前記作業マップに基づいて前記盛り土で植え付けを開始すると判定した場合には、前記施肥装置を停止するとともに、前記盛り土で前記ティーチングが行われることを報知する
ことを特徴とする作業車両。
【請求項２】
前記植付部に設けられ、圃場表土面の凹凸を検知する第１深度センサと、
前記圃場表土面の変化に対し前記植付部の高さを調整する第１調整機構と
を備え、
前記制御部は、
前記位置情報、および前記作業マップに基づいて前記盛り土の圃場に前記苗を植え付けると判定した場合には、前記圃場表土面の変化に対する前記植付部の昇降応答を鈍くする
ことを特徴とする請求項１に記載の作業車両。
【請求項３】
前記走行車体の速度を規制する速度規制装置
を備え、
前記制御部は、
前記位置情報、および前記作業マップに基づいて前記盛り土の圃場を走行すると判定した場合には、前記速度規制装置によって前記走行車体の速度を規制する
ことを特徴とする請求項１または２に記載の作業車両。
【請求項４】
前記圃場を整地する整地装置と、
前記整地装置の高さを調整する第２調整機構と、
前記走行車体に設けられ、圃場水面までの距離を検知する複数の第２深度センサと
を備え、
前記制御部は、
前記複数の第２深度センサによって検知した前記圃場水面までの距離から算出された圃場水面と、圃場表土面との差が第２所定値以上である場合、前記整地装置を駆動するとともに、前記第２調整機構によって前記整地装置の高さを調整する
ことを特徴とする請求項１から３のいずれか１項に記載の作業車両。
【請求項５】
前記整地装置は、
整地ロータであり、
前記制御部は、
前記施肥装置により前記肥料を散布するとともに、前記整地ロータを駆動している場合、前記施肥装置による前記肥料の散布量を増加させる
ことを特徴とする請求項４に記載の作業車両。
【請求項６】
前記整地装置は、
整地ロータであり、
前記制御部は、
前記施肥装置により前記肥料を散布するとともに、前記整地ロータを駆動している場合、前記整地ロータの回転速度を低下させる
ことを特徴とする請求項４または５に記載の作業車両。
【請求項７】
前記情報記憶端末は、
前記走行車体の走行経路を記憶し、
前記制御部は、
前記走行車体の位置情報、及び前記走行経路に基づき、前記走行車体が旋回位置に来た場合、前記整地装置を駆動させる
ことを特徴とする請求項４から６のいずれか１項に記載の作業車両。
【請求項８】
前記圃場の水温を検知する水温検知手段
を備え、
前記制御部は、
前記圃場の水温が高くなるほど前記施肥装置による前記肥料の散布量を減少させ、かつ前記圃場の水温が所定時間内に所定温度以上上昇した場合、前記施肥装置による前記肥料の散布量の減少量を小さくする
ことを特徴とする請求項１から７のいずれか１項に記載の作業車両。
【発明の詳細な説明】
【技術分野】
【０００１】
本発明は、作業車両に関する。
【背景技術】
【０００２】
従来、車両の位置情報や作業情報などの各種情報を取得し、かかる情報を記憶装置に記憶し、次回以降の作業時に、記憶装置に記憶された情報に基づいて作業を行うことが可能な作業車両が知られている（例えば、特許文献１参照）。
【先行技術文献】
【特許文献】
【０００３】
【特許文献１】特開２０１４−１８７９５４号公報
【発明の概要】
【発明が解決しようとする課題】
【０００４】
しかしながら、上記したような従来の作業車両では、圃場面の硬さのような圃場の状況は考慮されておらず、記憶装置に圃場の状況に関する情報は記憶されていない。このため、例えば、耕盤が安定しない圃場などで作業を行う場合、車体が傾くことがある。このように、作業中に車体が傾くことで、作業時の作業効率が低下するおそれがある。また、例えば、苗を植え付ける作業車両では、車体が傾くことで苗の植え付け精度が低下して作物の品質が安定しないことがある。
【０００５】
本発明は、上記に鑑みてなされたものであって、作業時の作業効率を向上させるとともに、作物の品質の安定化を図ることができる作業車両を提供することを目的とする。
【課題を解決するための手段】
【０００６】
上記した課題を解決し、目的を達成するために、請求項１に記載の作業車両は、走行車体（２）に取り付けられ、圃場に苗を植え付ける植付部（３０）と、前記走行車体（２）の位置情報を取得する位置情報取得装置（１２０）と、前記位置情報を記憶するとともに、前記位置情報、および圃場が土を盛って形成された盛り土の圃場であるか否かを示す盛り土情報を関連付けて作業マップとして記憶する情報記憶端末（１４０）と、前記圃場に散布する肥料の量を調整可能な施肥装置（６０）と、前記植付部（３０）を昇降する制御部（１５０ａ）とを備え、前記制御部（１５０ａ）は、前記位置情報、および前記作業マップに基づいて前記盛り土の圃場に前記苗を植え付けると判定した場合には、前記苗の植え付け深さが浅くなるように前記植付部（３０）を昇降し、植え付けを開始した直後の所定往復間に、位置毎の施肥量を決定するための施肥量の標準値を算出するティーチングを行い、前記位置情報、および前記作業マップに基づいて前記盛り土で植え付けを開始すると判定した場合には、前記施肥装置（６０）を停止するとともに、前記盛り土で前記ティーチングが行われることを報知することを特徴とする。
【０００９】
請求項２に記載の作業車両は、請求項１に記載の作業車両において、前記植付部（３０）に設けられ、圃場表土面の凹凸を検知する第１深度センサ（１７０）と、前記圃場表土面の変化に対し前記植付部（３０）の高さを調整する第１調整機構（２０）とを備え、前記制御部（１５０ａ）は、前記位置情報、および前記作業マップに基づいて前記盛り土の圃場に前記苗を植え付けると判定した場合には、前記圃場表土面の変化に対する前記植付部（３０）の昇降応答を鈍くすることを特徴とする。
【００１０】
請求項３に記載の作業車両は、請求項１または２に記載の作業車両において、前記走行車体（２）の速度を規制する速度規制装置（８８０）を備え、前記制御部（１５０ａ）は、前記位置情報、および前記作業マップに基づいて前記盛り土の圃場を走行すると判定した場合には、前記速度規制装置（８８０）によって前記走行車体（２）の速度を規制することを特徴とする。
【００１３】
請求項４に記載の作業車両は、請求項１から３のいずれか１項に記載の作業車両において、前記圃場を整地する整地装置（５０）と、前記整地装置（５０）の高さを調整する第２調整機構（８７０）と、前記走行車体（２）に設けられ、圃場水面までの距離を検知する複数の第２深度センサ（１３０）とを備え、前記制御部（１５０ａ）は、前記第２深度センサ（１３０）によって検知した前記圃場水面までの距離から算出された圃場水面と、圃場表土面との差が第２所定値以上である場合、前記整地装置（５０）を駆動するとともに、前記第２調整機構（８７０）によって前記整地装置（５０）の高さを調整することを特徴とする。
【００１４】
請求項５に記載の作業車両は、請求項４に記載の作業車両において、前記整地装置（５０）は、整地ロータ（５１，５２）であり、前記制御部（１５０ａ）は、前記施肥装置（６０）により前記肥料を散布するとともに、前記整地ロータ（５１，５２）を駆動している場合、前記施肥装置（６０）による前記肥料の散布量を増加させることを特徴とする。
【００１５】
請求項６に記載の作業車両は、請求項４または５に記載の作業車両において、前記整地装置（５０）は、整地ロータ（５１，５２）であり、前記制御部（１５０ａ）は、前記施肥装置（６０）により前記肥料を散布するとともに、前記整地ロータ（５１，５２）を駆動している場合、前記整地ロータ（５１，５２）の回転速度を低下させることを特徴とする。
【００１６】
請求項７に記載の作業車両は、請求項４から６のいずれか１項に記載の作業車両において、前記情報記憶端末（１４０）は、前記走行車体（２）の走行経路を記憶し、前記制御部（１５０ａ）は、前記走行車体（２）の位置情報、及び前記走行経路に基づき、前記走行車体（２）が旋回位置に来た場合、前記整地装置（５０）を駆動させて整地することを特徴とする。
【００１７】
請求項８に記載の作業車両は、請求項１から７のいずれか１項に記載の作業車両において、前記圃場の水温を検知する水温検知手段（２００）を備え、前記制御部（１５０ａ）は、前記圃場の水温が高くなるほど前記施肥装置（６０）による前記肥料の散布量を減少させ、かつ前記圃場の水温が所定時間内に所定温度以上上昇した場合、前記施肥装置（６０）による前記肥料の散布量の減少量を小さくすることを特徴とする。
【発明の効果】
【００１８】
請求項１に記載の作業車両によれば、位置情報、および盛り土情報を関連付けて作業マップとして情報記憶端末（１４０）に記憶することで、圃場の状況、例えば、圃場の硬さなどを把握した状態で、作業車両によって作業を行うことができる。そのため、盛り土を含み走行車体（２）が不安定となる圃場で作業を行う場合でも、記憶された作業マップに基づいて、即座に対応して作業を行うことができ、作業効率を向上させることができる。また、情報記憶端末（１４０）に記憶された作業マップに基づいて植付部（３０）の昇降が制御されるので作業車両が不安定であっても、圃場の状況に応じて植え付けを行うことができるため、植え付け精度を向上させることができ、作物の品質を圃場全体で安定化させることができる。また、圃場が柔らかい盛り土に苗を植え付ける場合、苗の植え付け深さを浅くすることで、苗が沈まず、苗の生育を向上させることができ、作物の品質を圃場全体で安定化させることができる。また、盛り土で植え付けを開始した場合、施肥装置（６０）を停止し、作業者にその旨を報知することで、ティーチングにより算出され、肥料の散布量を決定するための標準値の誤差が大きくなることを防止することができる。
【００２１】
請求項２に記載の作業車両によれば、請求項１に記載の発明の効果に加えて、位置情報、および作業マップに基づいて、植付部（３０）によって盛り土に苗を植え付けると判定される場合には、圃場表土面の変化に対する植付部（３０）の昇降応答を鈍くすることで、作業車両が安定しない状態で苗の植え付けを行う場合でも、苗を正確に植え付けることができ、作物の品質を圃場全体で安定化させることができる。
【００２２】
請求項３に記載の作業車両によれば、請求項１または２に記載の発明の効果に加えて、盛り土を走行する場合、走行車体（２）の速度を規制することで、安全性を向上させることができる。また、植え付け精度を向上させることができ、作物の品質を圃場全体で安定化させることができる。
【００２５】
請求項４に記載の作業車両によれば、請求項１から３のいずれか１項に記載の発明の効果に加えて、第２深度センサ（１３０）によって検知した圃場水面までの距離から算出された圃場水面と、圃場表土面との差が第２所定値以上である場合、整地装置（５０）を駆動させて整地を行うことで、作業中における作業者の操作を少なくし、安全性を向上させることができる。また、第２調整機構（８７０）によって整地装置（５０）の高さを調整することで、圃場の整地性を向上させることができ、苗の生育を向上させることができ、作物の品質を圃場全体で安定化させることができる。
【００２６】
請求項５に記載の作業車両によれば、請求項４に記載の発明の効果に加えて、施肥装置（６０）により肥料を散布するとともに、整地ロータ（５１，５２）を駆動している場合、肥料の散布量を増加することで、整地ロータ（５１，５２）によって肥料が弾かれた場合であっても、整地ロータ（５１，５２）により整地した箇所に所定の散布量の肥料を散布することができる。
【００２７】
請求項６に記載の作業車両によれば、請求項４または５に記載の発明の効果に加えて、施肥装置（６０）により肥料を散布するとともに、整地ロータ（５１，５２）を駆動している場合、整地ロータ（５１，５２）の回転速度を低下させることで、整地ロータ（５１，５２）によって弾かれた肥料が作業車両に付着することを抑制することができる。これにより、作業車両が肥料の付着により腐食することを抑制することができ、また作業車両の清掃を容易に行うことができる。
【００２８】
請求項７に記載の作業車両において、請求項４から６のいずれか１項に記載の発明の効果に加えて、走行車体（２）の走行経路を情報記憶端末（１４０）に記憶し、走行車体（２）の位置情報、及び走行経路に基づき、走行車体（２）が旋回位置に来ると整地装置（５０）によって整地を行うことで、作業中における作業者の操作を少なくし、安全性を向上させることができる。また、旋回による作業車両のタイヤ跡を整地することができる。
【００２９】
請求項８に記載の作業車両によれば、請求項１から７のいずれか１項に記載の発明の効果に加えて、圃場の水温が所定時間内に所定温度以上上昇した場合には、施肥装置（６０）による肥料の散布量の減少を少なくすることで、例えば、圃場の全体に水が行き届いていない状態で、作業を行う場合であっても、肥料の散布量が減少し過ぎることを防止することができる。
【図面の簡単な説明】
【００３０】
【図１】図１は、苗移植機の概略側面図である。
【図２】図２は、苗移植機の概略平面図である。
【図３】図３は、苗移植機の概略正面図である。
【図４】図４は、作業マップの一例を示す図である。
【図５】図５は、苗移植機が備える制御部を中心としたブロック図である。
【図６】図６は、苗移植機の制御部を構成するコントローラ、及びこれに接続する情報記憶端末を中心としたブロック図である。
【図７】図７は、植え付け処理の一例を示すフローチャートである。
【図８】図８は、施肥量を調整して植え付けを行う場合の植え付け開始処理の一例を示すフローチャートである。
【図９】図９は、整地装置を駆動させる場合の処理の一例を示すフローチャートである。
【図１０】図１０は、本実施形態の変形例の苗移植機の概略側面図である。
【図１１】図１１は、本実施形態の変形例の苗移植機の概略正面図である。
【発明を実施するための形態】
【００３１】
以下に、本発明に係る作業車両の実施形態を図面に基づいて詳細に説明する。なお、この実施形態によりこの発明が限定されるものではない。また、下記実施形態における構成要素には、当業者が置換可能、かつ、容易なもの、あるいは実質的に同一のものが含まれる。
【００３２】
図１は、実施形態に係る作業車両である苗移植機１を示す側面図である。図２は、図１に示す苗移植機１の平面図である。図３は、図１に示す苗移植機１の正面図である。なお、以下の説明においては、苗移植機１の前進方向側を機体前側とし、前進方向側とは反対側を機体後側とし、苗移植機１の上下方向における上側を機体上側とし、上下方向における下側を機体下側とする。また、機体前側から機体後側に向かって視た場合を機体前後方向視とし、機体左側から機体右側に向かって視た（あるいは機体右側から機体左側に向かって視た）場合を機体左右方向視とし、機体上側から機体下側に向かって視た場合を機体上下方向視とする。
【００３３】
実施形態に係る苗移植機１の走行車体２は、左右一対の前輪３と、左右一対の後輪４と、を有している。走行車体２は、例えば、走行時には前輪３、及び後輪４が駆動する四輪駆動とすることにより、圃場や道路を走行可能となっている。また、走行車体２の機体後側には、苗植付部昇降機構２０によって上下方向に昇降可能な苗植付部３０が備えられている。
【００３４】
走行車体２は、メインフレーム５と、メインフレーム５の機体上側に搭載されたエンジン６と、エンジン６で発生した動力を駆動輪（本実施形態では前輪３、及び後輪４）と苗植付部３０とに伝達する動力伝達装置７と、を備えている。つまり、本実施形態に係る苗移植機１では、動力源であるエンジン６で発生した動力は、走行車体２を前進や後進させるために使用されるのみでなく、苗植付部３０を駆動させるためにも使用される。
【００３５】
エンジン６は、機体左右方向における走行車体２の略中央で、かつ、作業者が乗車時に足を載せるフロアステップ８よりも機体上側に突出した状態となっている。エンジン６としては、例えば、ディーゼル機関やガソリン機関等の熱機関が用いられる。フロアステップ８は、機体前後方向において、走行車体２の機体前側に設けられている。本実施形態におけるフロアステップ８は、走行車体２の機体前端とエンジン６の機体後側との間にわたって設けられている。フロアステップ８は、メインフレーム５上に取り付けられている。フロアステップ８のうち、後述する操縦席１１の近傍の少なくとも一部は、作業者の靴に付着した泥などを圃場に落とせるように、機体上下方向視において格子状に形成されている。フロアステップ８の機体後側には、後輪４のフェンダを兼ねるリアステップ９が設けられている。リアステップ９は、機体前側から機体後側に向かうにつれて機体上側に向かって上昇する傾斜面（後上り傾斜面）を有している。リアステップ９は、機体左右方向において、エンジン６の両側方に配置され、エンジン６を挟んだ状態となっている。エンジン６は、エンジンカバー１０により覆われている。エンジンカバー１０の機体上側には、操縦席１１が設けられている。
【００３６】
動力伝達装置７は、エンジン６からの動力を油圧式無段変速機１３に伝達するベルト式動力伝達機構１２と、エンジン６から伝達される動力を変速する変速装置である油圧式無段変速機１３と、ミッションケース１４と、を有している。
【００３７】
油圧式無段変速機１３は、ＨＳＴ（Hydro  Static  Transmission）といわれる静油圧式の無段変速装置として構成されている。油圧式無段変速機１３は、後述する主変速操作部材７４が作業者により操作されることで、出力（回転速度）、及び出力方向（回転方向）を変更可能である。つまり、油圧式無段変速機１３は、回転速度や回転方向を変更することにより、走行車体２の前後進や移動速度を変更可能である。
【００３８】
ミッションケース１４は、油圧式無段変速機１３によって変速されたエンジン６からの動力を各部に伝達する伝動装置である。ミッションケース１４は、路上走行時や植付作業時における走行速度（移動速度）を切り替える副変速機構（図示省略）を有している。ミッションケース１４は、副変速レバー（図示省略）が作業者により操作されることで、走行車体２の走行速度（移動速度）を、路上走行時における路上走行速度（植付作業時の移動速度よりも高速で、路上走行に適した速度）、植付作業時における苗植付速度（路上走行時の移動速度よりも低速で、植付作業に適した速度）に切り替え可能である。
【００３９】
前輪ファイナルケース１５には、後述する操舵ハンドル７３の転舵操作に応じて前輪３を転舵可能に、前輪３が連結されている。後輪ギアケース１６には、後輪４が連結されている。
【００４０】
苗植付部昇降機構２０は、昇降リンク２１を備えている。昇降リンク２１は、走行車体２の機体後側と苗植付部３０とを連結させる平行リンク機構２２を有している。平行リンク機構２２は、リンクフレームベース２３、及び苗植付部３０のそれぞれに対して、機体上下方向に回動自在に連結されることにより、走行車体２に対して苗植付部３０を昇降可能である。
【００４１】
また、苗植付部昇降機構２０は、油圧昇降シリンダ２４を備えている。油圧昇降シリンダ２４は、油圧バルブ８２０（図６参照）が切り替えられることで伸縮動作し、伸縮動作によって昇降リンク２１を駆動し、苗植付部３０を昇降させる。油圧昇降シリンダ２４は、後述する植付操作部材７５が作業者により操作されることで、苗植付部３０を上昇させた非作業位置、苗植付部３０を下降させた対地作業位置（対地植付位置）に切り替える。また、油圧昇降シリンダ２４は、圃場の状況に関する情報に基づいて苗植付部３０を昇降させる。
【００４２】
苗植付部３０は、昇降リンク２１を介して走行車体２に取り付けられている。苗植付部３０は、複数の区画、あるいは複数の列で苗を植え付けることが可能である。本実施形態における苗植付部３０は、苗を４つの区画で植え付ける、いわゆる４条植となっている。苗植付部３０は、苗載置台３１と、フロート３２と、苗植付装置４０と、を備えている。
【００４３】
苗載置台３１は、機体左右方向において、植付条数分の苗載せ面３１ａを有している。それぞれの苗載せ面３１ａは、機体上下方向に複数枚の土付きマット状苗を載置可能な後下がり傾斜面となっている。フロート３２は、走行車体２の移動に伴って、圃場上を滑走して整地するものである。フロート３２は、機体左右方向において、機体中央側に位置するセンタフロート３２ａと、センタフロート３２ａを挟んで機体外側に位置するサイドフロート３２ｂと、を有している。
【００４４】
各フロート３２ａ，３２ｂは、圃場表土面の凹凸に応じて前端側が上下動するように回動自在に取り付けられる。苗植付装置４０は、センタフロート３２ａの上下動を検知する迎角制御用の回動センサ１７０（図５参照）を備える。苗植付装置４０は、植付作業時にはセンタフロート３２ａの前部の上下動が回動センサ１７０により検知され、その検知結果に応じて制御装置１５０を構成するコントローラ１５０ａにより油圧昇降シリンダ２４の伸縮動作を制御する油圧バルブ８２０を切り替えて苗植付部３０を昇降させ、苗の植付深さを所定の深さに調整することができる（図６参照）。
【００４５】
苗植付装置４０は、苗載置台３１の植付支持フレーム３３によって支持され、苗載置台３１の下方に配置されている。苗植付装置４０は、苗載置台３１に載置された苗をとって圃場に植え付ける装置である。苗植付装置４０には、植込杆４１と、ロータリケース４２と、植付伝動ケース４３と、を備えている。
【００４６】
植込杆４１は、苗載置台３１から苗をとって圃場に植え付けることができるように構成されている。植込杆４１は、植付伝動ケース４３に対して回転可能に連結されている。ロータリケース４２は、植込杆４１を回転可能に支持するとともに、植付伝動ケース４３に対して回転可能に連結されている。ロータリケース４２は、植込杆４１の回転速度を変化させながら、植込杆４１を回転させることができる不等速伝動機構（図示省略）を有している。これにより、ロータリケース４２は、ロータリケース４２に対する植込杆４１の回転角度によって、植込杆４１の回転速度を変化させながら回転させることが可能である。植付伝動ケース４３は、エンジン６から苗植付部３０に伝達された動力を、植込杆４１に伝達可能に構成されている。
【００４７】
整地装置５０は、圃場を整地するものである。整地装置５０は、苗植付装置４０の下方に設けられている。整地装置５０は、植付支持フレーム３３などに対して、電動モータ８７０（図５参照）などにより昇降自在に支持されている。整地装置５０は、機体左右方向において、機体中央側に位置するセンタロータ５１と、センタロータ５１よりも機体後側かつ機体外側に位置するサイドロータ５２と、伝動機構５３と、を備えている。センタロータ５１、及びサイドロータ５２は、センタフロート３２ａ、及びサイドフロート３２ｂよりも機体前側に配置されている。センタロータ５１は、伝動機構５３と、後輪ギアケース１６に連結された伝動軸５４と、を介して伝達されるエンジン６からの動力によって回転駆動する。サイドロータ５２は、伝動軸５４を介して伝達されるエンジン６からの動力によって回転駆動する。
【００４８】
施肥装置６０は、圃場に肥料を供給するものである。施肥装置６０は、操縦席１１の機体後側に設けられている。施肥装置６０は、貯留ホッパ６１に貯留されている粒状の肥料を、植付作業中に設定量ずつ圃場に放出可能である。施肥装置６０は、コントローラ１５０ａと接続する施肥量調節モータ１８０（図５参照）を備え、肥料の散布量である施肥量を調整することができる。
【００４９】
また、フロアステップ８における操縦席１１よりも機体前側には、操縦部７０が設けられている。操縦部７０は、ボンネット７１と、モニタパネル７２と、操舵ハンドル７３と、主変速操作部材７４と、植付操作部材７５と、フロントカバー７６と、を備えている。
【００５０】
ボンネット７１は、フロアステップ８における操縦席１１よりも機体前側かつ機体中央側に設けられている。ボンネット７１は、フロアステップ８の床面から機体上側に突出している。ボンネット７１は、例えば、充放電可能なバッテリー、主変速操作部材７４や植付操作部材７５等の伝動機構、走行車体２の旋回時に植付操作部材７５を植付下げに切り替えるモータ、主変速操作部材７４や植付操作部材７５の角度を検知するポテンショメータ、などの内装機器を有している。ボンネット７１の機体前側には、例えば、バッテリーの交換などをする際に、作業者が作業するための開口空間部（図示省略）が形成されている。
【００５１】
モニタパネル７２は、ボンネット７１の機体上側に設けられている。モニタパネル７２は、操縦席１１に着座する作業者と対面するように、後下がり傾斜面となっている。モニタパネル７２の機体中央側には、ハンドルポスト７３ａが立設されている。モニタパネル７２は、例えば、左右一対の線引きマーカ（図示省略）が圃場に出ていることを報知するマーカモニタ、植付操作部材７５が「植える」位置にあることを報知する植付クラッチモニタ、貯留ホッパ６１内の肥料が所定量を下回ったことを報知する肥料切れモニタ、貯留ホッパ６１から圃場に肥料を導入する通路が詰まったことを報知する肥料詰りモニタ、等の各種モニタを有している。各種モニタは、モニタパネル７２の表面において、作業者から目視可能に配置されている。
【００５２】
操舵ハンドル７３は、作業者により操作されることで、走行車体２を操舵するものである。操舵ハンドル７３は、ボンネット７１の機体上側に設けられている。操舵ハンドル７３は、機体左右方向において、ボンネット７１の機体中央側に位置している。操舵ハンドル７３は、ボンネット７１内の図示しない操作装置等を介して前輪３を転舵させることが可能である。
【００５３】
主変速操作部材７４は、主変速レバー（ＨＳＴレバーともいわれる）であり、走行車体２の前後進、及び移動速度を変更するためのレバーである。主変速操作部材７４は、ボンネット７１の機体上側に設けられている。本実施形態における主変速操作部材７４は、ボンネット７１の機体左右方向における予備苗枠（図示省略）側に設けられている。主変速操作部材７４は、ボンネット７１の機体左側に設けられている。主変速操作部材７４は、ボンネット７１の機体上側から上方に向けて突出している。主変速操作部材７４の機体上端位置は、ボンネット７１の機体上端位置と、操舵ハンドル７３の機体上端位置と、の間の位置となっている。
【００５４】
植付操作部材７５は、植付クラッチレバーであり、苗植付部３０を昇降させたり、苗植付部３０による苗の植え付けを開始・停止させたりするためのレバーである。植付操作部材７５は、ボンネット７１の機体上側に設けられている。本実施形態における植付操作部材７５は、ボンネット７１の機体左右方向におけるブレーキペダル１８側に設けられている。植付操作部材７５は、ボンネット７１の機体上側から上方に向けて突出している。植付操作部材７５の機体上端位置は、主変速操作部材７４の機体上端位置と同様の位置となっている。
【００５５】
フロントカバー７６は、ボンネット７１の機体前側に設けられるカバー部材であり、ボンネット７１の機体前側に形成された開口空間部（図示省略）を覆うカバー部材である。フロントカバー７６は、機体後側から機体前側に向かうにしたがって、機体左右方向における幅、及び機体上下方向における幅のそれぞれが狭くなる。フロントカバー７６は、機体上側、機体後側かつ機体外側に位置する支持部周りに回動可能に、ボンネット７１に支持されている。
【００５６】
また、本実施形態に係る苗移植機１は、位置情報取得装置として、ＧＰＳ（Global  Positioning  System）によって苗移植機１の位置情報を取得するＧＰＳ制御装置１２０（図５参照）を備える。走行車体２には、ＧＰＳ制御装置１２０を構成する受信アンテナ１２１（図５参照）が配設される。この受信アンテナ１２１は、時間的に所定の間隔でＧＰＳ座標を取得することにより、地球上での位置情報を所定間隔で取得することができる。受信アンテナ１２１を有するＧＰＳ制御装置１２０は位置情報取得装置として設けられる。
【００５７】
図４に後述する情報記憶端末１４０に記憶された作業マップの一例を示す。図４に示す作業マップは、説明のため、前回の苗を植え付けたときの苗移植機１が通った経路と、圃場の状況のみを簡略化して示している。情報記憶端末１４０によって、ＧＰＳ制御装置１２０が取得する位置座標情報、位置毎の施肥量に関する情報、圃場の状況に関する情報などを記憶し、さらに作業マップを作成しておくことで、同じ圃場で作業する場合の作業効率、苗の植え付け精度、及び肥料の散布精度の向上を図ることができる。圃場の状況に関する情報は、圃場の硬さなどに関する情報であり、例えば、作業を行う圃場が複数の圃場を合筆することで形成された圃場であるか、土層改良が行われた圃場であるかどうかに関する情報である。合筆された圃場は、圃場間の畔を切り崩して形成される切り土や、段差が異なる圃場において低い位置の圃場に土を入れることで形成される盛り土を含んでいる。そのため、合筆された圃場では、圃場の硬さが異なる箇所が存在する。切り土によって形成された箇所は、他の箇所よりも硬く、盛り土によって形成された箇所は、他の箇所よりも柔らかい。また、土層改良が行われた圃場は、圃場の硬さが柔らかい。このような圃場では、耕盤が安定せず、苗移植機１が安定しない。従って、圃場の状況に関する情報を記憶して作業マップを作成し、作業マップなどに基づいて苗の植え付けを行うことで、作業効率を向上させ、かつ苗の植え付け精度を向上させて作物の品質を圃場全体で安定化させることができる。圃場の状況に関する情報、位置座標情報、位置毎の施肥量、及び作業マップなどは、後述する情報記憶端末１４０に記憶される。
【００５８】
次に、苗移植機１の制御系について説明する。図５は、苗移植機１の制御装置１５０を中心としたブロック図、図６は、制御装置１５０を構成するコントローラ１５０ａ、及びこれに接続する情報記憶端末１４０を中心としたブロック図である。本実施形態に係る苗移植機１は、電子制御によって各部を制御することが可能になっており、苗移植機１は、各部を制御する制御装置１５０を備える。この制御装置１５０は、走行車体２に設けられるコントローラ１５０ａと、着脱自在な情報記憶端末１４０とを備える。
【００５９】
いずれも、ＣＰＵ（Central  Processing  Unit）等を有する処理部や、ＲＯＭ（Read  Only  Memory）、ＲＡＭ（Random  Access  Memory）等の記憶部、さらには入出力部が設けられ、これらは互いに接続されて互いに信号の受け渡しが可能である。記憶部には、苗移植機１を制御するコンピュータプログラムなどが格納される。
【００６０】
例えば、コントローラ１５０ａは、深度センサ１３０や回動センサ１７０、あるいはＧＰＳ制御装置１２０により取得した情報に基づいて、苗植付部３０や整地装置５０を昇降させる自動昇降処理を行う。
【００６１】
情報記憶端末１４０は、情報を表示する表示部１４２と、各種の入力操作を行う操作部１４３と、情報を記憶する記憶部１４１とを有する。このうち、表示部１４２と操作部１４３とは、別体で構成されていてもよいが、本実施形態では、タッチパネル式のディスプレイによって一体で構成されたタブレット端末としている。情報記憶端末１４０は、他の作業車両、例えば、トラクターやコンバインなどにも着脱することができ、記憶された情報を作業車両間で共有することができる。
【００６２】
情報記憶端末１４０は、画像認識プログラム、作業マップ作成プログラムなどが記憶部１４１に記憶されており、ＧＰＳ制御装置１２０で取得した位置情報、位置毎の施肥量に関する情報、及び圃場の状況に関する情報などを記憶し、これらの情報に基づいた作業マップを作成し、作業マップを記憶することができる。
【００６３】
さらに、作業者により登録された情報などに基づいて作業マップを作成し、作業マップを登録することができる。作業者により登録される情報は、例えば、圃場の状況に関する情報や、裏作で生育した作物に関する情報である。作物に関する情報には、施肥量に関する情報が含まれる。裏作で栽培した作物により、圃場の土の栄養分が異なるためである。例えば、裏作で豆類を栽培し、今回稲を栽培する場合には、施肥量が少なくなる。また、裏作で芋類を栽培し、今回稲を栽培する場合には、施肥量が多くなる。このように、作業マップに裏作で生育した作物に関する情報を登録し、作業マップに基づいて作業を行うことで、作物を安定して生育し、品質を安定化することができる。
【００６４】
従って、作業マップには、位置情報、過去に行った作業の経路など過去の作業に関する情報、位置毎の施肥量に関する情報、作業者によって登録された情報、圃場の状況に関する情報などが含まれる。そして、情報記憶端末１４０は、これらの情報を関連付けて記憶し、マップ化することで作業マップを作成する。情報記憶端末１４０は、コントローラ１５０ａと協働しながら苗植付部３０、整地装置５０、施肥装置６０の作動を制御することができる。なお、情報記憶端末１４０は、他の作業車両に接続された状態で記憶された情報や、作業マップに基づいて苗植付部３０、整地装置５０、施肥装置６０の作動を制御することができる。
【００６５】
情報記憶端末１４０は、記憶した作業マップを表示部１４２に表示することができる。また、情報記憶端末１４０は、作業者が必要とする情報のみを選択的に表示部１４２に表示することができる。
【００６６】
また、図５、及び図６に示すように、制御装置１５０には、モータ等のアクチュエータ類やランプ、スピーカなどの報知装置８４０、各部の情報を取得するセンサ類や各種スイッチなどが接続される。例えば、コントローラ１５０ａには、アクチュエータ類として、エンジン６の吸気量を調節するスロットル（図示省略）を作動させることにより、エンジン６の回転速度を増減させるスロットルモータ１７や、走行車体２の車速を制御する車速制御機構８８０や、前述したように、深度センサ１３０を回動させる回動モータ６９、圃場に肥料を繰り出す施肥量調節モータ１８０などが接続される。
【００６７】
さらに、図６に示すように、コントローラ１５０ａには、油圧昇降シリンダ２４を制御する油圧バルブ８２０のスプールを動作する切替モータ８１０や、苗植付部３０を左右回動させ、苗植付部３０の左右の傾きを修正可能なローリング機構８５０などが接続される。なお、ローリング機構８５０は、走行車体２の昇降リンク２１と苗植付部３０の植付フレームとの間に設けられており、走行車体２が前後方向に沿った軸心（図示省略）回りに左右回動しても、図５に示すローリングシリンダ８６０の駆動により苗植付部３０を水平状態に維持することができる。
【００６８】
また、コントローラ１５０ａに接続されるセンサ類としては、肥料濃度センサ１１０や深度センサ１３０の他、水温を検知する水温センサ２００、走行車体２の傾斜を検知する傾斜センサ１９０、苗載置台３１に設けられ、載置される苗の重量を検知する重量センサ１６０、苗植付部３０の上下回動量を検知する回動センサ１７０、後輪回転センサ２１０、及び作業クラッチセンサ５８が接続される。
【００６９】
肥料濃度センサ１１０は、左右の前輪３それぞれに設けられ、左右の前輪３間の肥料濃度を検知する。すなわち、肥料濃度センサ１１０は、環状の電極板で構成され、前輪３の機体内側または外側で、且つ土壌や水中に近い外周縁部付近に配置される。
【００７０】
深度センサ１３０は、取付軸などを介して走行車体２に回動自在となるように複数取り付けられている。深度センサ１３０は、超音波やレーザー光の反射により水面、または土壌表面までの深さを測定するものであり、測定されたその場の深さがコントローラ１５０ａに送信される（図５参照）。なお、深度センサ１３０は、センタロータ５１、及びサイドロータ５２の後方に設けてもよい。また、深度センサ１３０をセンタロータ５１の後方、及びサイドロータ５２の前方となるように、左右方向に一列に設けてもよい。
【００７１】
深度センサ１３０は、圃場水面からの反射波を検知しているため、水面が高いほど反射時間は短くなり、コントローラ１５０ａは深度が「深い」と判定する。しかし、水面と深度センサ１３０との距離は、波などの影響を受けて変動するため、その影響を可及的に排除するために、ここでは、０．０１秒ごとに２０個の検知値を取得し、その中で最大値とその次に大きな値、及び最小値とその次に小さな値の４つを捨て、残りの１６の検知値の平均を用いて深度を検知している。
【００７２】
水温センサ２００は、肥料濃度センサ１１０を構成する電極板に取り付けられ、水温を検知する。
【００７３】
傾斜センサ１９０は、走行車体２のピッチングすなわち上下方向への傾斜を検知する。コントローラ１５０ａは、傾斜センサ１９０が検知する走行車体２の傾斜角度に合わせて深度センサ１３０が常時鉛直方向に向くように、回動モータ６９を駆動して深度センサ１３０を取付軸まわりに回動させる。
【００７４】
後輪回転センサ２１０は、後輪４の回転速度を検知することにより、走行車体２の車速を検知する車速検知部材として設けられる。作業クラッチセンサ５８は、苗植付部３０に動力を伝達するクラッチ（図示省略）の接続状態を検知することにより、苗植付部３０の作動を検知する作業検知部材として設けられる。
【００７５】
回動センサ１７０は、苗植付部３０を構成する苗植付装置４０に設けられ、センタフロート３２ａの上下動を検知するセンサである。回動センサ１７０は、センタフロート３２ａの前部の角度を、水平を基準として仰角側、及び伏角側に検知する。すなわち、回動センサ１７０は、圃場表土面の凹凸を検知するセンサであり、圃場の深度を検知するセンサである。
【００７６】
本実施形態に係る作業車両としての苗移植機１は、上述してきた構成を有する。以下、その動作について説明する。
【００７７】
苗移植機１の運転時は、エンジン６で発生する動力によって、走行車体２の走行と、苗載置台３１に載せた苗の植付作業を行う。この植付作業は、回転軸が左右方向になる向きで、植込杆４１も回転することにより、苗載置台３１に載せられた苗を順次植込杆４１で取り、取った苗を徐々に圃場に植え付ける。その際に、苗載置台３１を、苗載置台３１に載置する１条分の機体左右方向の幅の範囲内で機体左右方向に往復移動させることにより、各苗植付装置４０は、苗載置台３１においてそれぞれの苗植付装置４０に対応する部分から苗を取り出し、圃場に植え付ける。
【００７８】
すなわち、各苗植付装置４０は、苗載置台３１の所定の条に対応する部分から苗を取り出して、所定の条に苗を植え付ける。植付作業時は、このように苗植付装置４０を作動させながら圃場内を走行車体２で走行することにより、複数の列状に苗を植え付ける。
【００７９】
また、走行車体２の走行時には、エンジン６で発生した動力はベルト式動力伝達機構１２に伝達され、ベルト式動力伝達機構１２から油圧式無段変速機１３に伝達されて、油圧式無段変速機１３で所望の回転速度や回転方向、トルクに変換されて出力される。油圧式無段変速機１３から出力された動力は、ミッションケース１４に伝達され、路上走行時の走行速度に適した回転速度、または苗の植え付け時の走行速度に適した回転速度にミッションケース１４内で変速されて、前輪３側や後輪４側に出力される。また、ミッションケース１４から出力される動力の一部は、苗植付部３０側にも伝達され、苗植付部３０での植え付け作業にも用いられる。
【００８０】
なお、本実施形態に係る苗移植機１は、圃場で植え付け作業を行う際には、位置情報取得装置であるＧＰＳ制御装置１２０で苗移植機１の位置情報を、所定の時間間隔ごとに取得する。
【００８１】
情報記憶端末１４０には、通常の植付領域や、圃場の状況などに関する圃場内の所定位置を示す情報が記憶されており、コントローラ１５０ａは、情報記憶端末１４０に記憶されている情報と、受信アンテナ１２１で取得した位置情報とを比較し、施肥装置６０の施肥量調節モータ１８０、苗植付部昇降機構２０の油圧昇降シリンダ２４などを制御する。
【００８２】
苗移植機１では、回動センサ１７０からの信号に基づき、苗植付部昇降機構２０の油圧昇降シリンダ２４を伸縮させ、苗植付部３０を昇降させることで、苗の植え付け深さが所定の深さに調整される。具体的には、回動センサ１７０によって検知したセンタフロート３２ａの前部の角度が、水平を基準として仰角側に判定値以上大きくなった場合に、コントローラ１５０ａは、苗の植え付け深さが深くなり過ぎないように苗植付部３０を上昇させる。また、センタフロート３２ａの前部の角度が、水平を基準として伏角側に判定値以上大きくなった場合に、コントローラ１５０ａは、苗の植え付け深さが浅くなり過ぎないように苗植付部３０を降下させる。判定値は、圃場の状況に関する情報に基づいて複数設定されており、ここでは、第１判定値、及び第２判定値が予め設定されている。第１判定値は、植え付けを行う圃場が盛り土、及び切り土ではない場合に用いられる値であり、第２判定値は、植え付けを行う圃場が盛り土、または切り土である場合に用いられる値である。第２判定値は、第１判定値よりも大きい。
【００８３】
ここで、図７を参照しながら、本実施形態に係る苗移植機１における植え付け時の処理について説明する。図７は、植え付け処理の一例を示すフローチャートである。
【００８４】
ステップＳ１００では、コントローラ１５０ａは、ＧＰＳ制御装置１２０によって取得した現在の位置情報と、情報記憶端末１４０に記憶された作業マップとに基づいて、植え付けを行う圃場が盛り土、または切り土で形成されているかどうか判定する。植え付けを行う圃場が盛り土、または切り土で形成されている場合には、コントローラ１５０ａは、処理をステップＳ１０１に移す。一方、植え付けを行う圃場が盛り土、または切り土で形成されていない場合には、コントローラ１５０ａは、処理をステップＳ１０５に移す。
【００８５】
ステップＳ１０１では、コントローラ１５０ａは、油圧昇降シリンダ２４を伸縮動作させて苗植付部３０の昇降を開始するための判定値を第２判定値に設定する。第２判定値は、圃場が盛り土、及び切り土ではない場合の判定値である第１判定値よりも大きい値である。すなわち、コントローラ１５０ａは、圃場が盛り土、または切り土である場合には、苗植付部３０を昇降させる判定値を、圃場が盛り土、または切り土ではない場合よりも大きくし、苗植付部３０の昇降を開始する角度を大きくし、圃場表土面の凹凸に対する苗植付部３０の昇降応答を鈍くする。これにより、圃場が盛り土、または切り土であり、苗移植機１が安定しない場合には、圃場が盛り土、または切り土ではなく、苗移植機１が安定する場合よりも、圃場表土面の凹凸に対する苗植付部３０の昇降が抑制される。すなわち、圃場が盛り土、または切り土である場合には、圃場が盛り土、または切り土ではない場合よりも油圧昇降シリンダ２４の伸縮動作の感度が鈍くなる。
【００８６】
苗移植機１が安定しない圃場において圃場表土面の凹凸に敏感に応答して苗植付部３０を昇降させた場合には、凹凸の変化に対して苗植付部３０の動作に遅れが生じる可能性があり、植え付け精度が低下し、苗を適切に植え付けることができず、欠株が生じるおそれがある。
【００８７】
これに対し、本実施形態では、苗移植機１が安定しない圃場に苗を植え付ける場合には、圃場表土面の凹凸に対する苗植付部３０の昇降応答を鈍くすることで、苗を確実に植え付けることができ、植え付け精度を向上させることができ、作物の品質を圃場全体で安定化させることができる。
【００８８】
ステップＳ１０２では、コントローラ１５０ａは、回動センサ１７０からの信号に基づいてセンタフロート３２ａの前部の角度を検知し、検知した角度と第２判定値とを比較する。なお、コントローラ１５０ａは、仰角側、及び伏角側において、検知した角度と第２判定値とを比較する。コントローラ１５０ａは、検知した角度が第２判定値以上である場合には、処理をステップＳ１０３に移す。すなわち、コントローラ１５０ａは、検知した角度が仰角側に第２判定値以上となっている場合、または伏角側に第２判定値以上となっている場合には、処理をステップＳ１０３に移す。一方、コントローラ１５０ａは、検知した角度が第２判定値よりも小さい場合には、処理をステップＳ１０４に移す。
【００８９】
ステップＳ１０３では、コントローラ１５０ａは、油圧昇降シリンダ２４を伸縮動作させることで苗植付部３０の高さを調整する。具体的には、コントローラ１５０ａは、圃場が盛り土である場合には、苗の植え付け深さが浅くなるように苗植付部３０を上昇させる。つまり、圃場が盛り土である場合には、苗は、圃場が盛り土ではない場合よりも苗の植え付け深さが浅くなる浅植えによって植え付けられる。また、圃場が切り土である場合には、苗移植機１が、左右の駆動輪（前輪３、及び後輪４）の一方が切り土を通り、もう一方が切り土ではない土を通ることがある。このような場合には、苗植付部３０が左右方向に傾き、切り土で形成された箇所に苗が植え付けられないおそれがある。そのため、このような場合には、コントローラ１５０ａは、苗植付部３０を降下させて、切り土で形成された箇所にも苗を植え付ける。なお、苗植付部３０の高さ調整はこれに限られず、圃場の状況に応じて苗を適切に植え付けることができるように調整される。
【００９０】
ステップＳ１０４では、コントローラ１５０ａは、車速制御機構８８０によって走行車体２の速度を規制する。具体的には、コントローラ１５０ａは、走行車体２の速度の上限を所定速度に設定し、車速制御機構８８０によって走行車体２の車速を規制する。所定速度は、予め設定された速度であり、圃場が盛り土、または切り土であり、苗移植機１が安定しない状態で植え付けを行う場合に作業者の安全を考慮して設定された速度である。
【００９１】
ステップＳ１０５では、コントローラ１５０ａは、油圧昇降シリンダ２４を伸縮動作させて苗植付部３０の昇降を開始するための判定値を第１判定値に設定する。
【００９２】
ステップＳ１０６では、回動センサ１７０からの信号に基づいてセンタフロート３２ａの前部の角度を検知し、検知した角度と第１判定値とを比較する。コントローラ１５０ａは、ステップＳ１０２と同様に仰角側、及び伏角側において、検知した角度と第１判定値とを比較する。コントローラ１５０ａは、検知した角度が第１判定値以上である場合には、処理をステップＳ１０７に移し、検知した角度が第１判定値よりも小さい場合には、今回の処理を終了する。
【００９３】
ステップＳ１０７では、コントローラ１５０ａは、油圧昇降シリンダ２４を伸縮動作させることで苗植付部３０の高さを調整する。
【００９４】
次に、図８を参照しながら、本実施形態に係る苗移植機１において、施肥量を調整して植え付けを行う場合の植え付け開始処理について説明する。図８は、この処理の一例を示すフローチャートである。
【００９５】
施肥量を調整して植え付けを行う場合には、植え付けを開始した直後の所定往復（例えば、２往復）間に、位置毎の施肥量を決定するための施肥量の標準値を算出するティーチングが行われる。以下で説明する処理は、ティーチングを行う場合に実行される。なお、ティーチングは、情報記憶端末１４０の操作により開始され、操舵ハンドル７３の操作回数や、走行距離などに基づいて終了する。
【００９６】
ステップＳ２００では、コントローラ１５０ａは、ＧＰＳ制御装置１２０によって取得した現在の位置情報と、情報記憶端末１４０に記憶された作業マップとに基づき、植え付けを開始する圃場が盛り土であるかどうか判定する。すなわち、コントローラ１５０ａは、ティーチングが盛り土で行われるかどうか判定する。コントローラ１５０ａは、植え付けを開始する圃場が盛り土である場合には、処理をステップＳ２０１に移す。一方、コントローラ１５０ａは、植え付けを開始する圃場が盛り土ではない場合には今回の処理を終了する。
【００９７】
ステップＳ２０１では、コントローラ１５０ａは、報知装置８４０を作動させるとともに、施肥装置６０を停止する。ティーチングでは、肥料濃度センサ１１０によって検知した肥料の濃度に基づいて標準値が算出される。このようなティーチングを盛り土で行うと、標準値の誤差が大きくなることが知られており、ティーチングは、盛り土以外で行う方がよい。従って、植え付けを開始する圃場が盛り土である場合には、コントローラ１５０ａは、報知装置８４０によって作業者にティーチングが盛り土で行われることを知らせる。具体的には、コントローラ１５０ａは、警告灯を点灯させるなどにより、作業者にティーチングが盛り土で行われることを報知する。
【００９８】
次に図９を参照しながら、本実施形態に係る苗移植機１において、整地装置５０を駆動させる場合の処理について説明する。図９は、この処理の一例を示すフローチャートである。
【００９９】
ステップＳ３００では、コントローラ１５０ａは、整地装置駆動条件を満たすかどうか判定する。整地装置駆動条件は、以下の（ａ）、（ｂ）である。
【０１００】
（ａ）苗の植え付けを行う圃場の深さの差が第１所定差（第２所定値）以上である。
（ｂ）苗移植機１が旋回位置である。
【０１０１】
コントローラ１５０ａは、（ａ）、（ｂ）のいずれかを満たす場合に、整地装置駆動条件を満たすと判定し、（ａ）、（ｂ）のいずれも満たさない場合に、整地装置駆動条件を満たさないと判定する。コントローラ１５０ａは、（ａ）の判定においては、複数の深度センサ１３０によって検知した圃場の深さから苗の植え付けを行う圃場の深さの差を算出し、算出した差と第１所定差とを比較する。第１所定差は、予め設定された差であり、整地装置５０により圃場を整地する必要がある深さである。コントローラ１５０ａは、（ｂ）の判定においては、ＧＰＳ制御装置１２０によって取得した現在の位置情報と、情報記憶端末１４０に記憶された作業マップに含まれる走行経路とに基づいて苗移植機１が旋回位置に来たかどうか判定する。コントローラ１５０ａは、整地装置駆動条件を満たす場合には、処理をステップＳ３０１に進める。一方、コントローラ１５０ａは、整地装置駆動条件を満たさない場合には、今回の処理を終了する。
【０１０２】
ステップＳ３０１では、コントローラ１５０ａは、電動モータ８７０により、整地装置５０を降下させるとともに、伝動機構５３を介してセンタロータ５１、及びサイドロータ５２を駆動する。コントローラ１５０ａは、深度センサ１３０によって検知した圃場の深さに応じて電動モータ８７０を制御し、整地装置５０の高さを調整する。具体的には、コントローラ１５０ａは、深度センサ１３０によって検知した圃場表土面の凹凸が多いほど整地装置５０を降下させる。
【０１０３】
ステップＳ３０２では、コントローラ１５０ａは、施肥装置６０によって肥料を散布中であるかどうか判定する。施肥装置６０によって肥料を散布中である場合には、コントローラ１５０ａは、処理をステップＳ３０３に進める。一方、施肥装置６０によって肥料を散布していない場合には、コントローラ１５０ａは、今回の処理を終了する。
【０１０４】
ステップＳ３０３では、コントローラ１５０ａは、センタロータ５１の回転速度、及びサイドロータ５２の回転速度を低下させる。具体的には、コントローラ１５０ａは、センタロータ５１の回転速度、及びサイドロータ５２の回転速度を所定回転速度まで低下させる。所定回転速度は予め設定された回転速度であり、肥料が弾かれて苗移植機１に付着することを抑制するように設定された回転速度である。
【０１０５】
ステップＳ３０４では、コントローラ１５０ａは、施肥装置６０における施肥量を増加させる。具体的には、コントローラ１５０ａは、センタロータ５１、及びサイドロータ５２を駆動しない場合よりも施肥量を所定量増加させる。所定量は予め設定された量であり、センタロータ５１、及びサイドロータ５２によって肥料が弾かれた場合でも、規定の施肥量を散布可能となる量である。所定回転速度と所定量とは、関連付けて設定される。
【０１０６】
なお、この処理において、圃場の水温を検知する水温センサ２００によって水温を検知し、水温が所定水温よりも低い場合には、施肥量を少なくしてもよい。圃場の水温は水温センサ２００からの信号だけでなく、肥料濃度センサ１１０からの信号や、深度センサ１３０からの信号に基づいて検知してもよい。水温が高くなると、肥料濃度センサ１１０によって検知される濃度が高くなる。また、圃場の深さが深く、また水位が高くなると水温が低くなる。このような点を考慮して、水温を検知してもよい。
【０１０７】
また、水温に基づいて施肥量を少なくする際に、所定時間内における水温の差が所定水温以上大きくなった場合には、施肥量の減少量を小さくする。具体的には、施肥量を予め設定された下限値とする。所定時間、及び所定水温は、予め設定された値である。例えば、圃場全体に水が行き届いていない状態で、苗の植え付けを開始することがある。このような場合、水が行き届いている箇所から水が行き届いていない箇所に苗移植機１が移動し、肥料を散布しつつ苗の植え付けを行うことがある。このような場合には、検知される水温が急に高くなり、水温に基づいて施肥量を調整すると、散布される肥料が少なくなり、苗の生育が悪くなるおそれがある。なお、水位が高い箇所から水位が低い箇所に苗移植機１が移動した場合も同様のことが起こりうる。そのため、所定時間内に水温の差が所定水温以上大きくなった場合は、コントローラ１５０ａは、水が行き届いていない箇所や、水位が低い箇所に苗を植え付けると判定し、施肥量を下限値とする。
【０１０８】
情報記憶端末１４０は、深度センサ１３０によって検知した圃場の深さと、回動センサ１７０によって検知した圃場の深さとの差が予め設定された第２所定差（第１所定値）以上である場合、差が第２所定差以上となる箇所を位置情報に関連付けて記憶する。これにより、例えば、次年度の代掻き時に圃場の深さが大きく変化する位置を作業者が容易に認識することができる。そのため、次回以降の作業性を向上させ、圃場の深さをより均等にすることができる。
【０１０９】
苗移植機１は、圃場の状況に関する情報を情報記憶端末１４０に記憶することで、圃場の状況、例えば、圃場の硬さなどを把握した状態で、苗移植機１によって作業を行うことができる。そのため、例えば、切り土や盛り土を含み、走行車体２が不安定となる圃場で作業を行う場合でも、記憶された圃場の状況に基づいて、即座に対応して作業を行うことができ、作業効率を向上させることができる。また、情報記憶端末１４０に記憶された圃場の状況に関する情報に基づいて苗植付部３０の昇降が制御されるので走行車体２が不安定であっても、圃場の状況に応じて植え付けを行うことができ、植え付け精度を向上させることができ、作物の品質を圃場全体で安定化させることができる。
【０１１０】
位置情報、過去の作業に関する情報、及び圃場の状況に関する情報をマップ化して情報記憶端末１４０に記憶することで、作業者が各情報を容易に視認することができ、安全に作業を行うことができ、また作業効率を向上させることができる。
【０１１１】
情報記憶端末１４０に圃場の状況に関する情報を作業者が登録することができるため、圃場の状況に関する情報を正確に入力することができる。そのため、例えば、初めての圃場で作業を行う場合や、合筆した圃場で作業を行う場合であっても、圃場の状況に応じて植え付けを行うことができ、作業効率を向上させることができる。また、盛り土に苗を植え付ける場合には、苗の植え付け深さを浅くすることで、苗が沈まず、苗の生育を向上させることができ、作物の品質を圃場全体で安定化させることができる。
【０１１２】
位置情報と、少なくとも情報記憶端末１４０に記憶された圃場の状況に関する情報、情報記憶端末１４０に登録された圃場の状況に関する情報の一方とに基づき、盛り土、または切り土に苗を植え付ける場合には、圃場の深さ変化に対する苗植付部３０の昇降応答を鈍くする。これにより、圃場表土面の凹凸の変化に対して苗植付部３０の動作遅れに起因して植え付け精度が低下することを抑制し、苗を適切に植え付けることができ、作物の品質を圃場全体で安定化させることができる。
【０１１３】
盛り土、または切り土を走行する場合には、走行車体２の速度を規制することで、作業者の安全性を向上させることができ、また植え付け精度を向上させることができる。
【０１１４】
盛り土で植え付けを開始した場合には、施肥装置６０を停止し、作業者にその旨を報知することで、ティーチングによって算出し、位置毎の施肥量を決定するための標準値の誤差が大きくなることを防止することができる。
【０１１５】
深度センサ１３０によって検知した圃場の深さの差が第１所定差以上である場合には、コントローラ１５０ａが整地装置５０を駆動し、整地することで、作業中における作業者の操作を少なくし、安全性を向上させることができる。また、電動モータ８７０によって整地装置５０の高さを調整することで、圃場の整地性を向上させることができ、苗の生育を向上させることができ、作物の品質を圃場全体で安定化させることができる。
【０１１６】
深度センサ１３０によって検知した圃場の深さと、回動センサ１７０によって検知した圃場の深さとの差が第２所定差以上である場合には、その箇所を位置情報に関連付けて情報記憶端末１４０に記憶する。これにより、圃場の深さをより均等にすることができる。
【０１１７】
施肥装置６０による肥料の散布中に、センタロータ５１、及びサイドロータ５２を駆動する場合には、施肥量を増加する。これにより、センタロータ５１、またはサイドロータ５２によって肥料が弾かれた場合であっても、規定の施肥量を散布することができる。
【０１１８】
施肥装置６０による肥料の散布中に、センタロータ５１、及びサイドロータ５２を駆動する場合には、センタロータ５１、及びサイドロータ５２の回転速度を低下させる。これにより、弾かれた肥料が苗移植機１に付着することを抑制することができ、肥料の付着により苗移植機１が腐食することを抑制することができ、また苗移植機１の清掃を容易に行うことができる。
【０１１９】
走行経路を情報記憶端末１４０に記憶し、位置情報、及び走行経路に関する情報に基づき、苗移植機１が旋回位置に来るとコントローラ１５０ａはセンタロータ５１、及びサイドロータ５２によって整地を行う。これにより、作業中における作業者の操作を少なくし、安全性を向上させることができる。また、旋回による苗移植機１の駆動輪（前輪３、及び後輪４）の跡を整地することができる。
【０１２０】
圃場の水温が所定時間内に所定温度以上上昇した場合には、施肥量の減少量を小さくする。これにより、例えば、圃場の全体に水が行き届いていない状態で、苗の植え付けを行う場合であっても、水が行き届いていない箇所において施肥量が減少し過ぎることを防止することができる。そのため、苗の生育を向上させ、品質を安定させることができる。
【０１２１】
深度センサ１３０によって検知した圃場の深さと、回動センサ１７０によって検知した圃場の深さとの差が第２所定差以上である場合には、その位置を位置情報と関連付けて情報記憶端末１４０に記憶させる。これにより、次回の作業、例えば、次年度の代掻き時に圃場の深さが大きく変化する位置を作業者が容易に認識することができる。そのため、次回以降の作業性を向上させることができる。
【０１２２】
なお、コントローラ１５０ａは、複数のコントローラによって構成されてもよい。
【０１２３】
次に、本実施形態の変形例について図１０，１１を用いて説明する。図１０は、変形例の苗移植機１の側面図である。図１１は、変形例の苗移植機１の正面図である。
【０１２４】
変形例の苗移植機１の走行車体２には、前部左右両側に、補給用の苗を載せておく、左右一対の予備苗枠７００が設けられている。左右の予備苗枠７００のうち、前方から見た場合に左側に位置する予備苗枠７００の下部には、予備苗枠７００から独立して回動する資材搬送装置７１０が設けられる。資材搬送装置７１０は、肥料袋等の作業資材を機外から積み込み、走行車体２側に移動させる。なお、右側に位置する予備苗枠７００の下部に資材搬送装置７１０を設けてもよく、また、左右の予備苗枠７００の下部に資材搬送装置７１０を設けてもよい。
【０１２５】
このような苗移植機１においては、深度センサ１３０は、左右の予備苗枠７００をそれぞれ支持する左右の苗枠フレーム７２０に設けられた取付アーム７３０の前端部に回動自在となるように複数取り付けられている。
【０１２６】
深度センサ１３０は、圃場面を向く下部側に水や泥土が付着すると、正確な深度の検出ができなくなり、誤った深度をコントローラ１５０ａに送信するおそれがあるので、左右の前輪３が跳ね上げる水や泥土がほぼ届かない高さに配置される。また、深度センサ１３０は、機体前後方向視において、前輪３の真上に位置しないように配置される。これにより、深度センサ１３０に水や泥土が付着することを抑制し、圃場の深さを正確に検出することができる。
【０１２７】
さらなる効果や変形例は、当業者によって容易に導き出すことができる。このため、本発明のより広範な態様は、以上のように表しかつ記述した特定の詳細、及び代表的な実施形態に限定されるものではない。従って、添付の特許請求の範囲、及びその均等物によって定義される総括的な発明の概念の精神または範囲から逸脱することなく、様々な変更が可能である。
【符号の説明】
【０１２８】
１        苗移植機（作業車両）
２        走行車体
２０      苗植付部昇降機構（第１調整機構）
２１      昇降リンク
２２      平行リンク機構
２３      リンクフレームベース
２４      油圧昇降シリンダ
３０      苗植付部(植付部)
３１      苗載置台
３１ａ    苗載せ面
３２ａ    センタフロート
３２ｂ    サイドフロート
４０      苗植付装置
５０      整地装置
５１      センタロータ（整地ロータ）
５２      サイドロータ（整地ロータ）
６０      施肥装置
７３      操舵ハンドル
１１０    肥料濃度センサ
１２０    ＧＰＳ制御装置（位置情報取得装置）
１２１    受信アンテナ
１３０    深度センサ（第２深度センサ）
１４０    情報記憶端末
１４１    記憶部
１４２    表示部
１４３    操作部
１５０    制御装置
１５０ａ  コントローラ（制御部）
１７０    回動センサ（第１深度センサ）
１８０    施肥量調節モータ
２００    水温センサ（水温検知手段）
８１０    切替モータ
８２０    油圧バルブ
８４０    報知装置
８７０    電動モータ（第２調整機構）
８８０    車速制御機構（速度規制装置）
【図１】
0006651907.tif 000002
【図２】
0006651907.tif 000003
【図３】
0006651907.tif 000004
【図４】
0006651907.tif 000005
【図５】
0006651907.tif 000006
【図６】
0006651907.tif 000007
【図７】
0006651907.tif 000008
【図８】
0006651907.tif 000009
【図９】
0006651907.tif 000010
【図１０】
0006651907.tif 000011
【図１１】
0006651907.tif 000012